(57)【特許請求の範囲】
【請求項１】
受信アンテナ、受信アンテナにより受信された信号をデジタル信号に変換する受信部、受信部の出力信号から干渉を除去する干渉除去部、前記干渉除去部の出力信号をアナログ信号に変換する送信部、及び前記送信部の出力信号を送出する送信アンテナを備える中継装置が複数具備される多重アンテナ中継システムであって、
前記それぞれの中継装置に具備されるそれぞれの前記干渉除去部は、前記受信部の出力信号が入力信号として提供され、前記複数の中継装置の各々から提供される基準信号が基準信号ベクターとして入力され、前記入力信号及び前記基準信号ベクターに応じて生成される現在時点のフィルタ係数ベクターにより予測信号を出力し、前記入力信号から前記予測信号を除去する、多重アンテナ中継システム。
【請求項２】
前記干渉除去部は、
前記入力信号から前記予測信号を除去してエラー信号を生成する干渉信号除去器、
前記エラー信号に基づいて基準信号を生成する基準信号生成器、及び、
前記入力信号、前記基準信号ベクター及び以前時点のフィルタ係数ベクターに応じて前記現在時点のフィルタ係数ベクターを生成し、前記現在時点のフィルタ係数ベクターにより前記基準信号ベクターをフィルタリングして前記予測信号を出力する干渉信号検出器を含む、請求項１に記載の多重アンテナ中継システム。
【請求項３】
前記干渉信号検出器は、
前記入力信号、前記基準信号ベクター及び前記以前時点のフィルタ係数ベクターに応じて生成される前記現在時点のフィルタ係数ベクターによりフィードバック干渉信号のチャンネルを推定するフィルタ係数生成部、及び、
前記フィルタ係数ベクターにより前記基準信号ベクターをフィルタリングして前記予測信号を出力するフィルタリング部を含む、請求項２に記載の多重アンテナ中継システム。
【請求項４】
前記フィルタ係数生成部は、
前記入力信号、前記基準信号ベクター及び前記以前時点のフィルタ係数ベクターに応じて、前記入力信号に含まれたエラー量を算出するエラー計算部、及び、
前記エラー量、前記基準信号ベクター及び前記以前時点のフィルタ係数ベクターに応じて、前記現在時点のフィルタ係数ベクターを算出するフィルタ係数計算部を含む、請求項３に記載の多重アンテナ中継システム。
【請求項５】
前記フィルタリング部は、前記フィルタ係数ベクター及び前記基準信号ベクターの内積を算出する、請求項３に記載の多重アンテナ中継システム。
【請求項６】
受信アンテナ、受信アンテナにより受信された信号をデジタル信号に変換する受信部、受信部の出力信号から干渉を除去する干渉除去部、前記干渉除去部の出力信号をアナログ信号に変換する送信部、及び前記送信部の出力信号を送出する送信アンテナを備える中継装置が複数具備される多重アンテナ中継システムにおけるフィードバック干渉除去方法であって、
前記干渉除去部は、
前記受信部の出力信号が入力される段階、
前記複数の中継装置の各々から提供される基準信号が基準信号ベクターとして入力される段階、
前記入力信号及び前記基準信号ベクターに応じて生成される現在時点のフィルタ係数ベクターにより予測信号を生成する段階、及び、
前記入力信号から前記予測信号を除去する段階を含む、フィードバック干渉除去方法。
【請求項７】
前記予測信号を生成する段階は、
前記入力信号、前記基準信号ベクター及び以前時点のフィルタ係数ベクターに応じて、前記現在時点のフィルタ係数ベクターを生成する段階、及び、
前記現在時点のフィルタ係数ベクターにより前記基準信号ベクターをフィルタリングして、前記予測信号を出力する段階を含む、請求項６に記載のフィードバック干渉除去方法。
【請求項８】
前記現在時点のフィルタ係数ベクターを生成する段階は、
前記入力信号、前記基準信号ベクター及び以前時点のフィルタ係数ベクターに応じて、前記入力信号に含まれたエラー量を算出する段階、及び、
前記エラー量、前記基準信号ベクター及び前記以前時点のフィルタ係数ベクターに応じて、前記現在時点のフィルタ係数ベクターを算出する段階を含む、請求項７に記載のフィードバック干渉除去方法。
【請求項９】
前記予測信号を出力する段階は、前記フィルタ係数ベクター及び前記基準信号ベクターの内積を算出する段階である、請求項７に記載のフィードバック干渉除去方法。
【請求項１０】
ｉを１以上Ｍ（中継装置の数）以下の自然数としたとき、
時点ｎにおけるｉ番目の干渉除去部では、受信部からデジタル信号に変換された元信号とフィードバック干渉信号との混合信号が入力信号（ｄ＿ｉ（ｎ））として受信され、
干渉信号除去器は、前記干渉信号検出器から出力される予測信号（ｙ＿ｉ（ｎ））を入力信号（ｄ＿ｉ（ｎ））から除去して、最終出力信号であるエラー信号（ｅ＿ｉ（ｎ））を出力し、
基準信号生成器は、エラー信号（ｅ＿ｉ（ｎ））を一定時間遅延させて基準信号（ｒ＿ｉｉ（ｎ））を生成し、
エラー信号（ｅ＿ｉ（ｎ））は、送信部に提供されるとともに、基準信号生成器に提供され、干渉除去部に入力される信号（ｄ＿ｉ（ｎ））の干渉信号を推定するのに用いられ、
干渉信号検出器は、入力信号（ｄ＿ｉ（ｎ））と共に、全ての中継装置で生成される基準信号（ｒ＿ｉｉ（ｎ）、ｒ＿ｉｋ（ｎ）、ｋはｉでない１以上Ｍ以下の自然数）を、基準信号ベクター（ｒ＿ｉ（ｎ）＝［ｒ＿ｉ１（ｎ）、ｒ＿ｉ２（ｎ）、…、ｒ＿ｉＭ（ｎ）］Ｔ）として受信し、
以前時点のフィルタ係数ベクター（ｗ＿ｉ（ｎ−１））を用いて現在時点のフィルタ係数ベクター（ｗ＿ｉ（ｎ））を生成し、
現在時点のフィルタ係数ベクター（ｗ＿ｉ（ｎ））で基準信号ベクター（ｒ＿ｉ（ｎ））をフィルタリングして予測信号（ｙ＿ｉ（ｎ））を出力し、
予測信号（ｙ＿ｉ（ｎ））は、入力信号（ｄ＿ｉ（ｎ））から除去され、干渉除去部の最終出力信号であるエラー信号（ｅ＿ｉ（ｎ））が出力される
ことを特徴とする請求項２に記載の多重アンテナ中継システム。
【請求項１１】
ｉを１以上Ｍ（中継装置の数）以下の自然数としたとき、
時点ｎにおけるｉ番目の干渉除去部では、
受信部からデジタル信号に変換された元信号とフィードバック干渉信号との混合信号が入力信号（ｄ＿ｉ（ｎ））として受信され、
干渉信号除去器が、干渉信号検出器から出力される予測信号（ｙ＿ｉ（ｎ））を入力信号（ｄ＿ｉ（ｎ））から除去して、最終出力信号であるエラー信号（ｅ＿ｉ（ｎ））を出力し、
基準信号生成器が、エラー信号（ｅ＿ｉ（ｎ））を一定時間遅延させて基準信号（ｒ＿ｉｉ（ｎ））を生成し、
エラー信号（ｅ＿ｉ（ｎ））が、送信部に提供されるとともに、基準信号生成器に提供され、干渉除去部に入力される信号（ｄ＿ｉ（ｎ））の干渉信号を推定するのに用いられ、
干渉信号検出器が、入力信号（ｄ＿ｉ（ｎ））と共に、全ての中継装置で生成される基準信号（ｒ＿ｉｉ（ｎ）、ｒ＿ｉｋ（ｎ）、ｋはｉでない１以上Ｍ以下の自然数）を、基準信号ベクター（ｒ＿ｉ（ｎ）＝［ｒ＿ｉ１（ｎ）、ｒ＿ｉ２（ｎ）、…、ｒ＿ｉＭ（ｎ）］Ｔ）として受信し、以前時点のフィルタ係数ベクター（ｗ＿ｉ（ｎ−１））を用いて現在時点のフィルタ係数ベクター（ｗ＿ｉ（ｎ））を生成し、
現在時点のフィルタ係数ベクター（ｗ＿ｉ（ｎ））で基準信号ベクター（ｒ＿ｉ（ｎ））をフィルタリングして予測信号（ｙ＿ｉ（ｎ））を出力し、
予測信号（ｙ＿ｉ（ｎ））が、入力信号（ｄ＿ｉ（ｎ））から除去され、干渉除去部の最終出力信号であるエラー信号（ｅ＿ｉ（ｎ））が出力される
ことを特徴とする請求項６に記載のフィードバック干渉除去方法。
【発明の詳細な説明】
【技術分野】
【０００１】
本発明は、無線通信装置に関し、より詳しくは、多重アンテナ無線中継システム及びこれを用いたフィードバック干渉除去方法に関する。
【背景技術】
【０００２】
一般に、移動通信システムでは、基地局からの電波の強度が弱くなる陰影地域、或いは、基地局から遠距離の地域における移動通信システムの通話可能地域(coverage)を拡張するために中継機を用いる。
【０００３】
中継機としては、光線路を用いる光中継機と、基地局からの信号を無線で受信及び送信を行う無線中継機とがある。
【０００４】
光中継機は、安定した性能は得られるが、光線路の布設や賃借による費用増加の短所がある。無線中継機は、光線路の布設が不要であるので、設置場所を自由に選択でき、保守管理が容易であり、周波数の再使用が可能であるという長所がある（例えば、特許文献１）。
【０００５】
図１は、一般の無線中継機の概念図である。
【０００６】
基地局１から無線で送出される信号は中継機３が受信する。中継機３は、受信した信号を増幅し、さらに無線信号として端末機５側に送出する。
【０００７】
無線中継機は、受信信号及び送信信号が同一の周波数を用いるため、送受信アンテナ間の隔離度が十分に確保されなければならない。そうでなければ、送信アンテナから送出される信号が受信アンテナにフィードバックされて、基地局１から伝送された元信号とフィードバック信号とが結合して、発振現象を起こす等の問題が発生する。
【０００８】
これを解決するために、フィードバック干渉を除去できる無線中継機(Interference Cancellation System;ＩＣＳ)が導入され、図２にその例を示す。
【０００９】
図２を参照すれば、フィードバック干渉除去機能を持つ無線中継機１０は、受信アンテナ１０１、第１の信号処理部１０３、干渉除去部１０５、第２の信号処理部１０７及び送信アンテナ１０９を含む。
【００１０】
受信アンテナ１０１は、基地局からの高周波信号を受信する。第１の信号処理部１０３は、受信アンテナ１０１を介して受信された高周波信号の周波数帯域を基底帯域のデジタル信号に変換する。
【００１１】
干渉除去部１０５は、第１の信号処理部１０３の出力信号から干渉信号を推定して除去した後、出力する。
【００１２】
第２の信号処理部１０７は、干渉除去部１０５によりフィードバック干渉が除去された信号の周波数帯域を高周波帯域に上方調整し、アナログ変換して送信アンテナ１０９を介して送出する。
【００１３】
このように、ＩＣＳ中継機１０は、中継機が受信したフィードバック干渉信号を推定して除去できるシステムである。送受信アンテナ間の距離を十分に離隔させる場合はＩＣＳ中継機を用いる必要のないが、家庭用室内中継機のような場合は送受信アンテナ間の離隔度を十分に確保し難いため、中継機の発振を防止するためにＩＣＳ中継機を用いる。そして、ＩＣＳ中継機は、設置費用が低いため、離島・山間地域で選好している。
【００１４】
このようなＩＣＳ中継機は、単一のアンテナを用いる場合を仮定して設計した。しかしながら、第３世代移動通信システム、或いはＬＴＥ(Long Term Evolution)やモバイルワイマックス(Mobile WiMax)のような第４世代移動通信システムは、基地局及び端末機で多重アンテナを用いるので、中継機も多重アンテナを用いて信号を中継する。
【００１５】
図３は、多重アンテナ中継システムの概略図である。多重アンテナ中継システム２０は、複数の受信アンテナ２０１、受信アンテナ２０１の信号を増幅する中継機２０３及び増幅の信号を無線で送出する複数の送信アンテナ２０５を含む。複数の送信アンテナ２０５は、各々互いに異なる信号を端末機側に送出する。
【００１６】
このような多重アンテナ中継システムにおいて、複数の送信アンテナ２０５の各々から送出される互いに異なる信号が、複数の受信アンテナ２０１に各々フィードバックされるので、一つの受信ンテナにフィードバックされる信号は、自分と連結している送信アンテナの送信信号だけでなく、他の送信アンテナの送信信号も含まれざるを得ない。
【００１７】
したがって、多重アンテナ中継システムのためのフィードバック干渉除去技術が、切実に要求されている。
【先行技術文献】
【特許文献】
【００１８】
【特許文献１】特開平１０−２２４２８４号公報
【発明の概要】
【発明が解決しようとする課題】
【００１９】
本発明の目的は、複数の送信アンテナから各々フィードバックされる干渉信号を除去できる多重アンテナ中継システム及びこれを用いたフィードバック干渉除去方法を提供することにある。
【課題を解決するための手段】
【００２０】
本発明の一実施例に係る多重アンテナ中継システムは、受信アンテナ、受信アンテナにより受信された信号をデジタル信号に変換する受信部、受信部の出力信号から干渉を除去する干渉除去部、前記干渉除去部の出力信号をアナログ信号に変換する送信部、及び前記送信部の出力信号を送出する送信アンテナを備える中継装置が複数具備される多重アンテナ中継システムであって、前記それぞれの中継装置に具備されるそれぞれの前記干渉除去部は、前記受信部の出力信号が入力信号として提供され、前記複数の中継装置の各々から提供される基準信号が基準信号ベクターとして入力され、前記入力信号及び前記基準信号ベクターに応じて生成される現在時点のフィルタ係数ベクターにより予測信号を出力し、前記入力信号から前記予測信号を除去できる。
【００２１】
一方、本技術の一実施例に係る多重アンテナ中継システムにおけるフィードバック干渉除去方法は、受信アンテナ、受信アンテナにより受信された信号をデジタル信号に変換する受信部、受信部の出力信号から干渉を除去する干渉除去部、前記干渉除去部の出力信号をアナログ信号に変換する送信部及び前記送信部の出力信号を送出する送信アンテナを備える中継装置が複数具備される多重アンテナ中継システムにおけるフィードバック干渉除去方法であって、前記干渉除去部は、前記受信部の出力信号が入力される段階；前記複数の中継装置の各々から提供される基準信号が基準信号ベクターとして入力される段階；前記入力信号及び前記基準信号ベクターに応じて生成される現在時点のフィルタ係数ベクターにより予測信号を生成する段階；及び、前記入力信号から前記予測信号を除去する段階；を含むことができる。
【発明の効果】
【００２２】
本発明によれば、多重アンテナ中継システムにおいて、複数の送信アンテナから一つの受信アンテナにフィードバックされる干渉信号を除去できる。
【００２３】
したがって、送受信アンテナ間の離隔度を確保しなくても、限定された空間内で多重アンテナ中継システムの発振現象を防止でき、高品質の無線通信サービスを提供できる。
【図面の簡単な説明】
【００２４】
【図１】一般の無線中継機の概念図である。
【図２】フィードバック干渉除去機能を持つ無線中継機の構成図である。
【図３】多重アンテナ中継システムの概念図である。
【図４】本発明の一実施例に係る多重アンテナ無線中継システムの構成図である。
【図５】図４の干渉除去部の一例を示す図である。
【図６】図５の干渉信号検出器の一例を示す図である。
【図７】図６のフィルタ係数生成部の一例を示す図である。
【発明を実施するための形態】
【００２５】
以下、添付図面に基づき、本発明の好適な実施例を詳細に説明する。以下の説明において、ｒ＿ｉ(ｎ)、ｗ＿ｉ(ｎ)、ｗ＿ｉ(ｎ−１)、ｗ(ｎ)、ｗ１(ｎ)、ｗ２(ｎ) はベクターを意味する。
【００２６】
図４は、本発明の一実施例に係る多重アンテナ無線中継システムの構成図である。
【００２７】
図４を参照すれば、本発明の一実施例に係る多重アンテナ無線中継システム３０は、複数の中継装置３１０、３２０、…、３Ｍ０を含むことができる。
【００２８】
それぞれの中継装置３１０、３２０、…、３Ｍ０は、受信アンテナ３１１、受信部３１３、干渉除去部３１５、送信部３１７及び送信アンテナ３１９を含むように構成される。
【００２９】
受信部３１３は、受信アンテナ３１１により受信された高周波(ＲＦ)信号を基底帯域のデジタル信号に変換して出力する。このとき、受信アンテナ３１１により受信された高周波信号は、基地局から伝送される元信号と複数の送信アンテナ３１９からフィードバックされる干渉信号とが混合されている。
【００３０】
干渉除去部３１５は、時点ｎにおいて、受信部３１３から出力されたデジタル形態の受信信号(スカラー)が入力信号(ｄ＿ｉ(ｎ)、ｉは１以上Ｍ以下の自然数)として提供される。そして、複数の送信アンテナから各々フィードバックされる干渉信号を除去するために、多重アンテナ中継システム３０をなす全ての中継装置３１０、３２０、…、３Ｍ０から提供されるそれぞれの基準信号(ｒ＿ｉｊ(ｎ))が基準信号ベクター(ｒ＿ｉ(ｎ)＝[ｒ＿ｉ１(ｎ)、ｒ＿ｉ２(ｎ)、…、ｒ＿ｉＭ(ｎ)]Ｔ)として入力される。つまり、基準信号ベクター(ｒ＿ｉ(ｎ))はＭ個の行からなるベクター行列であり得る。ここで、ｉ及びｊは各々１以上Ｍ(中継装置の数)以下の自然数である。そして、ｒ＿ｉｊは中継装置ｊから中継装置ｉに提供される基準信号を意味する。
【００３１】
各中継装置３１０、３２０、…、３Ｍ０で生成される基準信号は、それぞれの中継装置の最終出力信号であるエラー信号(ｅ＿ｉ(ｎ))(スカラー)に基づき、例えばエラー信号(ｅ＿ｉ(ｎ))を所定時間遅延させて生成し得る。また、干渉除去部３１５は、基準信号ベクター(ｒ＿ｉ(ｎ))及び入力信号(ｄ＿ｉ(ｎ))を用いて、フィルタ係数ベクター(ｗ＿ｉ(ｎ)＝[ｗ＿ｉ１(ｎ)、ｗ＿ｉ２(ｎ)、…、ｗ＿ｉＭ(ｎ)]Ｔ)を生成し、フィルタ係数ベクター(ｗ＿ｉ(ｎ))により基準信号ベクター(ｒ＿ｉ(ｎ))をフィルタリングすることで、予測信号(ｙ＿ｉ(ｎ))(スカラー)を出力する。予測信号(ｙ＿ｉ(ｎ))は、入力信号(ｄ＿ｉ(ｎ))から除去され、これにより、干渉除去部３１５の最終出力信号であるエラー信号(ｅ＿ｉ(ｎ))が出力される。
【００３２】
送信部３１７は、干渉除去部３１５から出力されるエラー信号(ｅ＿ｉ(ｎ))を高周波(ＲＦ)アナログ信号に変換して、送信アンテナ３１９側に出力する。
【００３３】
図５は、図４の干渉除去部の一例を示す図である。
【００３４】
図５を参照すれば、それぞれの干渉除去部３１５は、干渉信号除去器４１０、基準信号生成器４２０及び干渉信号検出器４３０を含むことができる。本発明の一実施例において、干渉除去部３１５は適応フィルタ(Adaptive filter)であり得る。
【００３５】
図５には、Ｍ個の中継装置３１０、３２０、…、３Ｍ０のうち、ｉ番目の中継装置３ｉ０に含まれる干渉除去部３１５を示す。
【００３６】
時点ｎにおいて、ｉ番目の干渉除去部３１５は、受信部３１３からデジタル信号に変換された元信号とフィードバック干渉信号との混合信号を入力信号(ｄ＿ｉ(ｎ))として受信する。干渉信号除去器４１０は、干渉信号検出器４３０から出力される予測信号(ｙ＿ｉ(ｎ))を入力信号(ｄ＿ｉ(ｎ))から除去して、最終出力信号であるエラー信号(ｅ＿ｉ(ｎ))を出力する。
【００３７】
エラー信号(ｅ＿ｉ(ｎ))は、送信部３１７に提供されるが、基準信号生成器４２０に提供されて、干渉除去部３１５に入力される信号(ｄ＿ｉ(ｎ))の干渉信号を推定するのに用いられる。すなわち、基準信号生成器４２０は、エラー信号(ｅ＿ｉ(ｎ))を一定時間遅延させて基準信号(ｒ＿ｉｉ(ｎ))を生成できる。
【００３８】
干渉信号検出器４３０は、入力信号(ｄ＿ｉ(ｎ))と共に、多重アンテナ中継システム３０を構成する全ての中継装置３１０、３２０、…、３Ｍ０で生成される基準信号(ｒ＿ｉｉ(ｎ)、ｒ＿ｉｋ(ｎ)、ｋはｉでない１以上Ｍ以下の自然数)を、基準信号ベクター(ｒ＿ｉ(ｎ)＝[ｒ＿ｉ１(ｎ)、ｒ＿ｉ２(ｎ)、…、ｒ＿ｉＭ(ｎ)]Ｔ)として受信し、以前時点のフィルタ係数ベクター(ｗ＿ｉ(ｎ−１))を用いて現在時点のフィルタ係数ベクター(ｗ＿ｉ(ｎ))を生成する。そして、現在時点のフィルタ係数ベクター(ｗ＿ｉ(ｎ))で基準信号ベクター(ｒ＿ｉ(ｎ))をフィルタリングして予測信号(ｙ＿ｉ(ｎ))を出力する。
【００３９】
単一アンテナを用いる中継システムにおいて、フィードバック干渉除去のために適応フィルタを適用するのが知られている。時点ｎにおいて、適応フィルタのフィルタタブベクター(ｗ(ｎ))、すなわち、フィルタ係数は、フィルタタブサイズをＬとする時、
【数１】
0005883046.tif 000002
として提供される。フィルタ係数は、ＬＭＳ(Least Mean Squared）、ＲＬＳ(Recursive Least Squared)、又はそれらの変種アルゴリズムを適用して生成し得る。また、基準信号ｒ(ｎ)もベクターであり、
【数２】
0005883046.tif 000003
として提供される。
【００４０】
したがって、単一アンテナ中継システムでは、次の関係が成立される。
【００４１】
【数３】
0005883046.tif 000004
本発明は、Ｍ個のアンテナを用いる多重アンテナ中継システムにおけるフィードバック干渉を除去するために、適応フィルタのタブサイズをＭ＊Ｌに拡張する。そして、基準信号ベクターのサイズもＭ倍に拡張して、ｉ番目の中継装置３ｉ０の場合、下記のような基準信号ベクター(ｒ＿ｉ)を用いるようになる。
【００４２】
【数４】
0005883046.tif 000005
そして、Ｌ個のタブ単位で各送信アンテナから何れか一つの受信アンテナにフィードバックされるチャンネルを推定する。チャンネル推定の結果であるフィルタ係数ベクター(ｗ＿ｉ(ｎ))は、下記のようである。
【００４３】
【数５】
0005883046.tif 000006
ここで、ｗ＿ｉｊ(ｎ)は、中継装置ｊ(１以上Ｍ以下の自然数)の送信アンテナから中継装置ｉの受信アンテナにフィードバックされるフィードバックチャンネルに該当する、サイズがＬであるフィルタ係数である。また、ｒ＿ｉｊは、中継装置ｊから中継装置ｉに提供される、サイズがＬである基準信号である。
【００４４】
アンテナの個数が２個の場合を仮定すれば、タブサイズを２Ｌとし、最初のＬ個のタブは自分の送信アンテナから自分の受信アンテナにフィードバックされるチャンネルを推定し、残りのＬ個のタブは他の送信アンテナから自分の受信アンテナにフィードバックされるチャンネルを推定することになる。
【００４５】
アンテナの個数が２個の場合、第１の中継装置３１０及び第２の中継装置３２０の各フィルタ係数ベクター(ｗ１(ｎ)、ｗ２(ｎ))及び基準信号ベクター(ｒ１、ｒ２)は、次の通りである。
【００４６】
【数６】
0005883046.tif 000007
【数７】
0005883046.tif 000008
前述のような方式により、各中継装置３１０、３２０、…、３Ｍ０のフィルタ係数ベクター及び基準信号ベクターを定義すれば、単一アンテナ中継システムの適応フィルタアルゴリズムの原理を借用して、多重アンテナ中継システムのための適応フィルタを具現できる。
【００４７】
図６は、図５の干渉信号検出器の一例を示す図である。
【００４８】
ｉ番目の中継装置３ｉ０の干渉信号検出器４３０は、フィルタ係数生成部４３０１及びフィルタリング部４３０３を含んで構成される。
【００４９】
フィルタ係数生成部４３０１は、入力信号(ｄ＿ｉ(ｎ))、基準信号ベクター(ｒ＿ｉ(ｎ))及び以前時点のフィルタ係数ベクター(ｗ＿ｉ(ｎ−１))に応じて、入力信号(ｄ＿ｉ(ｎ))に含まれたエラーを計算する。そして、計算されたエラー量、以前時点のフィルタ係数ベクター(ｗ＿ｉ(ｎ−１))及び基準信号ベクター(ｒ＿ｉ(ｎ))を用いて、現在時点のフィルタ係数ベクター(ｗ＿ｉ(ｎ))を生成する。現在時点のフィルタ係数ベクター(ｗ＿ｉ(ｎ))を生成するために、ＬＭＳ(Least Mean Squared）、ＲＬＳ(Recursive Least Squared)、又はそれらの変種アルゴリズムが用いられる。
【００５０】
フィルタリング部４３０３は、フィルタ係数ベクター(ｗ＿ｉ(ｎ))で基準信号ベクター(ｒ＿ｉ(ｎ))をフィルタリングして、予測信号(ｙ＿ｉ(ｎ))を出力する。
【００５１】
フィルタ係数生成部４３０１は、例えば、図７のように構成され得る。
【００５２】
図７は、エラー計算部４３１１及びフィルタ係数計算部４３２１を含むフィルタ係数生成部４３０１を示す。
【００５３】
エラー計算部４３１１は、入力信号(ｄ＿ｉ(ｎ))、基準信号ベクター(ｒ＿ｉ(ｎ))及び以前時点のフィルタ係数ベクター(ｗ＿ｉ(ｎ−１))に応じて、入力信号(ｄ＿ｉ(ｎ))に含まれたエラー量(ｅ(ｎ))を算出する。
【００５４】
エラー量(ｅ(ｎ))を算出するために、下記のような方式が用いられる。
【００５５】
ｅ(ｎ)＝ｄ＿ｉ(ｎ)−ｗ＿ｉ(ｎ−１)Ｈｒ＿ｉ(ｎ)(Ｈ：エルミート行列(Hermitian matrix)
フィルタ係数計算部４３２１は、エラー計算部４３１１の出力信号(ｅ(ｎ))、基準信号ベクター(ｒ＿ｉ(ｎ))及び以前時点のフィルタ係数ベクター(ｗ＿ｉ(ｎ−１))に応じて、現在時点のフィルタ係数ベクター(ｗ＿ｉ(ｎ))を算出する。
【００５６】
フィルタ係数計算部４３２１は、例えば、下記のような方法により現在時点のフィルタ係数ベクター(ｗ＿ｉ(ｎ))を算出できる。
【００５７】
ｗ＿ｉ(ｎ)＝[ｗ＿ｉ(ｎ−１)＋Ｆ(ｒ＿ｉ(ｎ)ｅ(ｎ))]
関数Ｆ(・)は、適応フィルタのアルゴリズム(ＬＭＳ、ＲＬＳ又はそれらの変種アルゴリズム)の種類により決定され得る。
【００５８】
前述したように、予測信号(ｙ＿ｉ(ｎ))は、干渉信号除去器４１０に提供されて、入力信号(ｄ＿ｉ(ｎ))から予測信号(ｙ＿ｉ(ｎ))が除去されたエラー信号(ｅ＿ｉ(ｎ))が出力されるようにする。予測信号(ｙ＿ｉ(ｎ))を生成するために、フィルタ係数ベクター(ｗ＿ｉ(ｎ))Ｈ(Ｈ：エルミート行列)と、基準信号ベクター(ｒ＿ｉ(ｎ))との内積(inner product)を算出する演算が行われる。
【００５９】
本発明の多重アンテナ中継システムは、単一アンテナ中継システムと比較する時、フィルタ係数ベクター及び基準信号ベクターがアンテナの個数、すなわち、内蔵された中継装置の個数だけ増加するという点である。そして、このように増加したフィルタ係数ベクター及び基準信号ベクターを用いて、公知の適応フィルタのアルゴリズムがそのまま用いられるという長所がある。また、Ｍ個のアンテナがある場合、Ｍ個の独立した適応フィルタを実行させて、それぞれの受信アンテナにフィードバックされる干渉信号を独立して除去できる。
【００６０】
なお、本発明は上述した実施例に限定されることなく、その要旨を逸脱しない範囲内において適宜変更することができる。したがって、本発明の範囲は、前記詳細な説明よりは後述する特許請求の範囲により定められ、特許請求の範囲の意味及び範囲、そして、その等価概念から導出される全ての変更や変形の形態が、本発明の範囲に含まれるものと解析すべきである。
【符号の説明】
【００６１】
３０  多重アンテナ中継システム
３１０、３２０、…、３Ｍ０  中継装置
３１５  干渉除去部
４１０  干渉信号除去器
４２０  基準信号生成器
４３０  干渉信号検出器
【図１】
0005883046.tif 000009
【図２】
0005883046.tif 000010
【図３】
0005883046.tif 000011
【図４】
0005883046.tif 000012
【図５】
0005883046.tif 000013
【図６】
0005883046.tif 000014
【図７】
0005883046.tif 000015